(57)【要約】【課題】接続される航空機の出入口を、照明を用いて表示することのできる搭乗橋の出入口位置表示装置を提供すること。【解決手段】航空機に接続されて乗客が移動する通路を形成する搭乗橋のキャブに備えられ、接続される航空機の機種に応じた出入口の位置を表示する搭乗橋の出入口位置表示装置は、キャブの内部通路に航空機と接続される部分に沿って少なくとも１つ以上の列に結合される複数の照明部材を含む照明モジュール、及び複数の照明部材のうち出入口の位置に対応する一部の照明部材の色又は点滅を、残りの照明部材とは異なるように制御して出入口の位置を表示する制御モジュールを含む。【選択図】図３
2019531977.tif 000002
【特許請求の範囲】
【請求項１】
航空機に接続されて乗客が移動する通路を形成する搭乗橋のキャブに備えられ、前記接続される航空機の機種に応じた出入口の位置を表示する搭乗橋の出入口位置表示装置において、
前記キャブの内部通路に前記航空機と接続される部分に沿って少なくとも１つ以上の列に結合される複数の照明部材を含む照明モジュールと、
前記複数の照明部材のうち、前記出入口の位置に対応する一部の照明部材の色又は点滅を残りの照明部材とは異なるように制御して前記出入口の位置を表示する制御モジュールと、
を含む搭乗橋の出入口位置表示装置。
【請求項２】
前記照明モジュールは、前記複数の照明部材が線形に結合される線形照明パートを含む、請求項１に記載の搭乗橋の出入口位置表示装置。
【請求項３】
前記複数の照明部材はそれぞれ複数の色を発光する、請求項２に記載の搭乗橋の出入口位置表示装置。
【請求項４】
前記線形照明パートは、前記複数の照明部材のうち前記出入口の位置に対応する前記一部の照明部材の色を、前記残りの照明部材とは異なる色に発光して前記出入口の位置を表示する、請求項３に記載の搭乗橋の出入口位置表示装置。
【請求項５】
前記照明モジュールは、前記機種に応じた航空機の前記出入口の両端に対応する位置に前記複数の照明部材がそれぞれ結合される点形照明パートを含む、請求項１に記載の搭乗橋の出入口位置表示装置。
【請求項６】
前記航空機の機種を選択するスイッチを含み、ユーザが前記搭乗橋を前記航空機に接続するために手動操作する制御コンソールをさらに含む、請求項１に記載の搭乗橋の出入口位置表示装置。
【請求項７】
前記制御モジュールは、前記搭乗橋の自動接続の際、前記照明モジュールを制御して自動に前記航空機の機種に応じた前記出入口の位置を表示する、請求項１に記載の搭乗橋の出入口位置表示装置。
【請求項８】
前記照明モジュールは、前記キャブの内部底面に配置される、請求項１に記載の搭乗橋の出入口位置表示装置。
【発明の詳細な説明】
【技術分野】
【０００１】
本発明は、搭乗橋の出入口位置表示装置に関し、より具体的には、搭乗橋と接続される航空機の機種に応じて異なる出入口の位置に対応するよう搭乗橋に結合され、出入口の位置を選択的に表示する搭乗橋の出入口位置表示装置に関する。
【背景技術】
【０００２】
一般的に、搭乗橋接続装置は、搭乗橋の運転員がキャブ内部の運転席で操縦コンソールを用いて手動操作して接続する装置がほとんどである。このような搭乗橋接続装置は、搭乗橋の運転員が航空機が駐機する地点に搭乗橋を移動させ、キャブ（Ｃａｂ）を航空機の出入口を取り囲むよう接触させて搭乗橋を航空機に接続する。この場合、航空機の機種ごとに接続位置の差があり、搭乗橋の運転員は、航空機の機種ごとに航空機の出入口を基準にして互いに異なる位置に搭乗橋を接続しなければならない。
【０００３】
したがって、搭乗橋の運転員がこのような航空機の機種ごとに航空機を２つ又は３つの群に分類して互いに異なる接続位置の基準を容易に判別することができるよう、ペイントなどでキャブの内部底面に接続される航空機の出入口の位置を表示している。しかし、このような表示が夜間や表示の毀損などによって判別し難い場合、搭乗橋の運転員が搭乗橋を正確に接続することができない。また、搭乗橋の運転員が瞬間的に表示を判別できない場合、搭乗橋の運転員は航空機の外部損傷のような事故を誘発し得る。
【発明の概要】
【発明が解決しようとする課題】
【０００４】
実施形態の目的は、接続される航空機の出入口を、照明を用いて表示することのできる搭乗橋の出入口位置表示装置を提供することにある。
【課題を解決するための手段】
【０００５】
一実施形態に係る、航空機に接続されて乗客が移動する通路を形成する搭乗橋のキャブに備えられ、前記接続される航空機の機種に応じた出入口の位置を表示する搭乗橋の出入口位置表示装置は、前記キャブの内部通路に前記航空機と接続される部分に沿って少なくとも１つ以上の列に結合される複数の照明部材を含む照明モジュール、及び前記複数の照明部材のうち前記出入口の位置に対応する一部の照明部材の色又は点滅を、残りの照明部材とは異なるように制御して前記出入口の位置を表示する制御モジュールを含む。
【０００６】
一側面によれば、前記照明モジュールは、前記複数の照明部材が線形に結合される線形照明パートを含み得る。
【０００７】
一側面によれば、前記複数の照明部材は、それぞれ複数の色を発光し得る。
【０００８】
一側面によれば、前記線形照明パートは、前記複数の照明部材のうち前記出入口の位置に対応する前記一部の照明部材の色を、前記残りの照明部材とは異なる色に発光して前記出入口の位置を表示し得る。
【０００９】
一側面によれば、前記照明モジュールは、前記機種に応じた航空機の前記出入口の両端に対応する位置に前記複数の照明部材がそれぞれ結合される点形照明パートを含み得る。
【００１０】
一側面によれば、前記航空機の機種を選択するスイッチを含み、ユーザが前記搭乗橋を前記航空機に接続するために手動操作する制御コンソールをさらに含み得る。
【００１１】
一側面によれば、前記制御モジュールは、前記搭乗橋の自動接続の際、前記照明モジュールを制御して自動に前記航空機の機種に応じた前記出入口の位置を表示し得る。
【００１２】
一側面によれば、前記照明モジュールは、前記キャブの内部底面に配置され得る。
【発明の効果】
【００１３】
実施形態に係る搭乗橋の出入口位置表示装置によると、航空機を接続するとき搭乗橋に航空機出入口の位置を照明を用いて表示することで、接続位置を視覚的に正確に確認することができ、搭乗橋の接続時間を減らすと共に搭乗橋と航空機の接触事故を予防できる。
【００１４】
また、乗客の搭乗又は降機時に、乗客は、搭乗橋の底面と航空機の出入口の底面の高低差を照明を用いて認知することで転倒事故を防止できる。
【図面の簡単な説明】
【００１５】
【図１】一実施形態に係る搭乗橋が航空機に接続する形状を示す正面図である。
【図２】一実施形態に係るキャブの底面に結合された搭乗橋の出入口位置表示装置を示す平面図である。
【図３】一実施形態に係る搭乗橋の出入口位置表示装置の駆動の形状を示す平面図である。
【図４】一実施形態に係る搭乗橋の出入口位置表示装置の他の駆動の形状を示す平面図である。
【発明を実施のための形態】
【００１６】
以下、実施形態を例示的な図面によって詳細に説明する。各図面の構成要素に参照符号を付加することにおいて、同じ構成要素に対して、たとえ他の図面上に表示されていても、可能な限り同じ符号にすることを留意しなければならない。また、実施形態の説明において、関連する公知構成又は機能に対する具体的な説明が実施形態に対する理解を妨害するものと判断される場合は、その詳細な説明は省略する。
【００１７】
また、実施形態の構成要素を説明することにおいて、第１、第２、Ａ、Ｂ、（ａ）、（ｂ）などの用語を使用してもよい。このような用語は、その構成要素を他の構成要素と区別するだけのものであり、その用語によって当該の構成要素の本質や順序などが限定されることはない。いずれかの構成要素が他の構成要素に「連結」、「結合」、又は「接続」されと記載された場合、その構成要素はその他の構成要素に直接的に「連結」、「結合」、又は「接続」されてもよいが、各構成要素の間に更なる構成要素が「連結」、「結合」、又は「接続」され得る。
【００１８】
いずれか１つの実施形態に含まれた構成要素と、共通機能を含む構成要素は、他の実施形態で同じ名称を用いて説明することにする。反対となる記載がない限り、いずれか１つの実施形態に記載した説明は他の実施形態にも適用可能であり、重複する範囲で具体的な説明は省略することにする。
【００１９】
図１は、一実施形態に係る搭乗橋１０が航空機２０に接続する形状を示す正面図である。
【００２０】
図１に示すように、搭乗橋１０は、トンネル１１、リフトカラム１２、ホイール駆動機１３、キャブ１４、キャノピー１５を含む。搭乗橋１０は、空港の建物などと航空機２０との間に通路を形成し得る。搭乗橋１０を使用する乗客及び貨物は、外部の気象条件などに影響を受けることなく搭乗し得る。
【００２１】
トンネル１１は、乗客が移動できる通路を形成している。トンネル１１は、固定トンネルと伸縮可能な伸縮トンネルを含む。本実施形態に示されたトンネル１１は、その長さ、方向、高さなどの変更できる伸縮トンネルである。トンネル１１の内部には、乗客の便宜のための空調機などの様々な設備が備えられてもよい。
【００２２】
リフトカラム１２は、トンネル１１に結合されトンネル１１を乗降させて高さを調整する。リフトカラム１２は、機種に応じて様々な大きさ及び高さを有する航空機２０の出入口２１にキャブ１４の底が位置するようにトンネル１１の高さを調整し得る。
【００２３】
ホイール駆動機１３は、リフトカラム１２の下側に取り付けられる。ホイール駆動機１３は、トンネル１１の方向を変更したり、トンネル１１の長さを変更したりするとき、地表面と密着した輪を駆動してトンネル１１の位置を変更する。
【００２４】
キャブ１４は、トンネル１１の終端に結合されトンネル１１と航空機２０との間に通路を形成する。キャブ１４は、トンネル１１に対して回転運動できる。キャブ１４の航空機２０と接続する部分には、キャノピー１５が結合されてもよい。
【００２５】
キャノピー１５は、キャブ１４と航空機２０との間を密閉して通路が外気の影響を受けないようにする。キャノピー１５は、しわ形状のパイプであってもよい。キャノピー１５がしわ形状のパイプであるため、自体的に衝撃を吸収できる。
【００２６】
キャブ１４は、搭乗橋１０の終端に位置して視野が確保されるため、搭乗橋の運転員が配置されて搭乗橋１０を運転し得る。
【００２７】
搭乗橋１０の運転員は、駐機された航空機２０の機種に応じた航空機２０の出入口２１の位置を基準にして、搭乗橋１０を航空機２０に接続し得る。
【００２８】
図２は、本発明の実施形態に係るキャブ１４の底面に結合された搭乗橋の出入口位置表示装置１００を示す平面図である。
【００２９】
図２に示すように、搭乗橋の出入口位置表示装置１００は、キャブ１４の内部に結合されている。
【００３０】
搭乗橋の出入口位置表示装置１００は、航空機２０に接続されて乗客が移動する通路を形成している搭乗橋１０のキャブ１４に備えられ、接続される航空機２０の機種に応じた出入口２１の位置を表示する。搭乗橋の出入口位置表示装置１００は、照明モジュール１１０、制御コンソール１５０、制御モジュール１７０を含む。
【００３１】
照明モジュール１１０は、キャブ１４の内部通路に航空機２０と接続される部分に沿って少なくとも１つ以上の列に結合される。照明モジュール１１０は、線形照明パート１３０と点形照明パート１４０を含む。
【００３２】
線形照明パート１３０は、第１照明部材１３１を含む。
【００３３】
第１照明部材１３１は、ＬＥＤ（ＬＩＧＨＴ  ＥＭＩＴＴＩＮＧ  ＤＩＯＤＥ）であってもよい。本発明の実施形態において、第１照明部材１３１はＬＥＤを使用するものと示しているが、これに限定されることはない。第１照明部材１３１は、ハロゲン電球などのような、一般的に使用される発光体を結合してもよい。
【００３４】
線形照明パート１３０は、複数の点形又は多角形状の第１照明部材１３１が一方向に長く線形に結合されてもよい。例えば、線形照明パート１３０は、搭乗橋１０と接続された航空機２０の出入口２１の底面と平行にキャブ１４の内部底面に結合されてもよい。また、線形照明パート１３０は、キャブ１４の終端で所定の間隔を形成して結合されてもよい。
【００３５】
線形照明パート１３０は、複数の第１照明部材１３１のうち出入口２１の位置に対応する一部の照明部材の色を、残りの照明部材とは異なる色に発光して出入口２１の位置を表示する。
【００３６】
線形照明パート１３０は、航空機２０の出入口２１が位置している区域を一つの色で表示し、出入口２１が位置していない区域を他の色で表示してもよい。したがって、線形照明パート１３０は、二種類の色を発光する第１照明部材１３１が結合されてもよい。線形照明パート１３０に結合された第１照明部材１３１は、互いに異なる色を有する２つのＬＥＤが結合されてもよい。
【００３７】
本発明の実施形態において、線形照明パート１３０で使用される第１照明部材１３１が互いに異なる色を有する２つのＬＥＤを結合したものを示したが、これに限定されることはない。第１照明部材１３１は、様々な色を発光するＲＧＢ  ＬＥＤなどが結合されてもよい。また、第１照明部材１３１は、線形照明パートが出入口２１の位置する区域のみを点滅して表示できるため、単一の色を発光するＬＥＤなどが結合されてもよい。
【００３８】
点形照明パート１４０は、航空機２０の機種ごとに点形又は多角形状の第２照明部材１４１を結合する。点形照明パート１４０は、航空機２０の機種ごとに出入口２１の両端を表示できるよう、キャブ１４の内部底面に複数の対に形成されて結合されてもよい。点形照明パート１４０は、キャブ１４の開放された終端を前方を基準にして線形照明パート１３０の後方に所定の間隔をもって結合される。点形照明パート１４０は、点滅して出入口２１の両端を表示する。
【００３９】
本発明の実施形態に係る点形照明パート１４０は、航空機２０の機種ごとに出入口２１を三種類の群に区分し、三組の点形照明パート１４０が線形照明パート１３０の後方に所定の間隔をもってキャブ１４の底面に結合されていることを示したが、これに限定されることはない。点形照明パート１４０は、空港に着陸する航空機２０の種類による出入口２１の位置に応じて少なくとも１つ以上の群に区分してもよい。また、点形照明パート１４０は、線形照明パート１３０の後方のみならず、前方に結合されてもよい。
【００４０】
点形照明パート１４０は、点滅しながら出入口２１の位置を表示する。点形照明パート１４０に結合される第２照明部材１４１は、単一の色を有するＬＥＤを結合してもよい。また、点形照明パート１４０が異なる色で発光して出入口２１の位置を異なって表示してもよい。したがって、点形照明パート１４０は、二種類の色を有する第２照明部材１４１が結合され得る。そして、点形照明パート１４０に結合される第２照明部材１４１の形状は制限されないが、出入口２１の位置を断面の隅に正確に表示することができるため、三角の形状を使用することが好ましい。
【００４１】
本発明の実施形態に係る照明モジュール１１０は、線形照明パート１３０と点形照明パート１４０が共に結合されていることを示したが、これに限定されることはない。照明モジュール１１０は、線形照明パート１３０又は点形照明パート１４０が搭乗橋１０のキャブ１４に単独で結合されてもよい。
【００４２】
制御コンソール１５０は、リフトカラム１２、ホイール駆動機１３、キャブ１４、キャノピー１５、及び搭乗橋の出入口位置表示装置１００を駆動するために搭乗橋の運転員によって操作される。搭乗橋の運転員のコントローラの操作により航空機に搭乗橋１０を接続し得る。制御コンソール１５０は、搭乗橋の運転員が操作して搭乗橋１０の高さ及び位置を変更できるコントローラ１５１とリフトカラム１２、及びホイール駆動機１３、キャブ１４、キャノピー１５の駆動を選択するためのスイッチ１５３を含む。また、制御コンソールには、接続される航空機の機種を選択できるスイッチ１５３が含まれる。
【００４３】
搭乗橋の運転員が制御コンソール１５０で駐機された航空機の機種に適するスイッチ１５３を選択すれば、制御コンソール１５０は、制御モジュール１７０に信号を送信する。制御モジュール１７０は、照明モジュール１１０を航空機２０の出入口２１への位置に適するよう発光させる制御を行う。搭乗橋の運転員は、照明モジュール１１０に表示された出入口２１の表示位置に対応して、制御コンソール１５０を用いて搭乗橋１０を移動させて航空機２０に接続される。
【００４４】
搭乗橋１０が航空機２０に接続するとき、搭乗橋の運転員が制御コンソール１５０を操作して搭乗橋１０を接続し得る。したがって、制御コンソール１５０は、搭乗橋１０から航空機２０に最も近接して視野確保の容易なキャブ１４に設けられることが好ましい。制御コンソール１５０は、キャブ１４に結合されたキャノピー１５の後方側面の一側に結合されてもよい。
【００４５】
制御モジュール１７０は、搭乗橋の運転員の制御コンソール１５０の操作による手動運転を制御できるが、自動接続のための運転も可能である。制御モジュール１７０は、空港の航空機２０の運航スケジュールとの通信により連動され、搭乗橋１０が位置するゲートに駐機される航空機２０の種類が提供され得る。制御モジュール１７０は、自動接続の際、航空機２０の種類に応じて出入口２１の位置を照明モジュール１１０に自動表示できる。制御モジュール１７０は、搭乗橋１０の位置を制御して航空機２０に自動接続できる。
【００４６】
図３は、本発明の実施形態に係る搭乗橋の出入口位置表示装置１００の駆動の形状を示す平面図である。
【００４７】
図３に示すように、搭乗橋の運転員による手動操作の際、搭乗橋の運転員は、制御コンソール１５０の備えられた航空機２０の機種に適する表示スイッチ１５３を選択して制御モジュール１７０に信号を送信する。制御モジュール１７０は、点形照明パート１４０を点灯して選択した航空機２０の機種と一致する出入口２１が位置する出入区域１１１を表示し得る。また、制御モジュール１７０は、線形照明パート１３０を点灯して航空機２０の出入口２１が位置しなければならない出入区域１１１を一つの色で表示し、航空機２０の出入口２１が位置しない非出入区域１１３は他の色で表示してもよい。
【００４８】
搭乗橋の運転員は、キャブ１４の底面に結合された照明モジュール１１０に表示される出入区域１１１が、航空機２０の出入口２１が下端部にくるよう、搭乗橋１０を制御コンソール１５０で操作して航空機２０に接続できる。
【００４９】
図４は、本発明の実施形態に係る搭乗橋の出入口位置表示装置１００の他の駆動の形状を示す平面図である。
【００５０】
図４に示すように、搭乗橋１０の自動接続の際、制御モジュール１７０は、空港の航空機運航スケジュールとの通信により連動され、ゲートに駐機される航空機２０の機種を受信する。制御モジュール１７０は受信された、図３に示された航空機の機種とは異なる航空機２０と一致する出入区域１１１を点形照明パート１４０の点灯により表示してもよい。また、制御モジュール１７０は、線形照明パート１３０を制御して出入区域１１１を一つの色で表示し、非出入区域１１３は他の色で表示する。制御モジュール１７０は、搭乗橋１００に照明モジュール１１０で表示された出入区域１１１と航空機２０の出入口２１の底面が一致するよう、搭乗橋１０を移動して航空機２０に接続する。
【００５１】
搭乗橋の運転員又は制御モジュールが搭乗橋１０を制御して航空機２０に接続するとき、搭乗橋１０の底面は、航空機の出入口２１よりも１０〜２０ｃｍ程度低く接続されてもよい。したがって、線形照明パート１３０と点形照明パート１４０は、接続後にも乗客の搭乗及び降機が完了する時点まで引き続き発光して乗客の注意を喚起し得る。
【００５２】
上述したように、搭乗橋の出入口位置表示装置１００は、搭乗橋の運転員が搭乗橋１０を航空機２０に接続するとき、出入口２１の位置を照明モジュール１１０を用いて表示することで、搭乗橋の運転員が接続位置を視覚的に正確に確認することができ、搭乗橋１０の接続時間を減らすと共に搭乗橋１０と航空機２０の接触事故を予防できる。
【００５３】
また、乗客が航空機に搭乗又は降機するとき、乗客は、搭乗橋１０の底面と航空機２０の出入口２１の底面の高低の差を照明モジュール１１０を用いて認知することで転倒事故を防止できる。
【００５４】
上述したように、たとえ限定された図面によって実施形態が説明されたが、当技術分野で通常の知識を有する者であれば、前記記載から様々な修正及び変形が可能である。例えば、説明された技術が説明された方法と異なる順に実行されたり、及び／又は説明された構造、装置などの構成要素が説明された方法と異なる形態に結合又は組合わせられたり、他の構成要素又は均等物によって置換されても適切な結果が達成し得る。したがって、本発明の範囲は、開示された実施形態に限定されて定められるものではなく、特許請求の範囲及び特許請求の範囲と均等なものなどによって定められるものである。
【図１】
2019531977.tif 000003
【図２】
2019531977.tif 000004
【図３】
2019531977.tif 000005
【図４】
2019531977.tif 000006
【国際調査報告】
2019531977.tif 000007
2019531977.tif 000008
2019531977.tif 000009
2019531977.tif 000010